【事件の表示】
　特許第３２５２３２６号「情報受信装置」の特許に対する特許異議の申立てについて、次のとおり決定する。
【結　論】
　訂正を認める。
　特許第３２５２３２６号の特許を維持する。
【理　由】
１．訂正の適否について
（訂正の要旨）
（１）訂正事項ａ
　願書添付の明細書（以下、原明細書という）の特許請求の範囲の記載
「１．複数の受信情報を記憶することが可能な情報記憶手段を有し、該情報記憶手段に所定量の受信情報が記憶されるまでは、新たな情報を受信する毎に受信した情報を上記情報記憶手段に記憶し、所定量の受信情報が記憶された後は、新たな情報が受信される毎に上記情報記憶手段に記憶されている受信情報のうちの最古の情報を自動消去した上で受信した新たな情報を上記情報記憶手段に記憶する構成の情報受信装置において、
　上記情報記憶手段に記憶されている受信情報の内の所望の情報を、新たな情報が受信されても自動消去されないように保護する情報保護手段と、
　上記情報保護手段により保護された情報の保護を解除する保護解除手段と、
　上記情報記憶手段に記憶されている受信情報を保護されている情報を含めて受信順に読み出して表示させ、且つ読み出して表示させた情報が保護された情報である場合には更にその旨を明示する表示制御手段と
を具備したことを特徴とする情報受信装置。」
を
「１．複数の受信情報を記憶することが可能な情報記憶手段を有し、該情報記憶手段に所定量の受信情報が記憶されるまでは、新たな情報を受信する毎に受信した情報を上記情報記憶手段に記憶し、所定量の受信情報が記憶された後は、新たな情報が受信される毎に上記情報記憶手段に記憶されている受信情報のうちの最古の情報を自動消去した上で受信した新たな情報を上記情報記憶手段に記憶する構成の情報受信装置において、
　上記情報記憶手段に記憶されている受信情報の内の所望の情報を、新たな情報が受信されても自動消去されないように保護する情報保護手段と、
　上記情報保護手段により保護された情報を消去すること無しに、当該情報の保護を解除する保護解除手段と、
　上記情報記憶手段に記憶されている受信情報の内の所望の情報を消去する情報消去手段と、
　上記情報記憶手段に記憶されている受信情報を保護されている情報を含めて受信順に読み出して表示させ、且つ読み出して表示させた情報が保護された情報である場合には更にその旨を明示する表示制御手段と
を具備したことを特徴とする情報受信装置。」
と訂正する。
（２）訂正事項ｂ
　原明細書の段落【０００５１の記載
「【０００５】
　　【課題を解決するための手段】
　この発明は、複数の受信情報を記憶することが可能な情報記憶手段を有し、該情報記憶手段に所定量の受信情報が記憶されるまでは、新たな情報を受信する毎に受信した情報を上記情報記憶手段に記憶し、所定量の受信情報が記憶された後は、新たな情報が受信される毎に上記情報記憶手段に記憶されている受信情報のうちの最古の情報を自動消去した上で受信した新たな情報を上記情報記憶手段に記憶する構成の情報受信装置において、上記情報記憶手段に記憶されている受信情報の内の所望の情報を、新たな情報が受信されても自動消去されないように保護する情報保護手段と、上記情報保護手段により保護された情報の保護を解除する保護解除手段と、上記情報記憶手段に記憶されている受信情報を保護されている情報を含めて受信順に読み出して表示させ、且つ読み出して表示させた情報が保護された情報である場合には更にその旨を明示する表示制御手段とを設けたものである。」
を
「【０００５】
　　【課題を解決するための手段】
　この発明は、複数の受信情報を記憶することが可能な情報記憶手段を有し、該記憶手段に所定量の受信情報が記憶されるまでは、新たな情報を受信する毎信した情報を上記情報記憶手段に記憶し、所定量の受信情報が記憶された後新たな情報が受信される毎に上記情報記憶手段に記憶されている受信情報のちの最古の情報を自動消去した上で受信した新たな情報を上記情報記憶手段に記憶する構成の情報受信装置において、上記情報記憶手段に記憶されている受信の内の所望の情報を、新たな情報が受信されても自動消去されないように保護する情報保護手段と、上記情報保護手段により保護された情報を消去すること無しに、当該情報の保護を解除する保護解除手段と、上記情報記憶手段に記憶されている受信情報の内の所望の情報を消去する情報消去手段と、上記情報記憶手段に記憶されている受信情報を保護されている情報を含めて受信順に読み出して表示させ、且つ読み出して表示させた情報が保護された情報である場合には更にその旨を明示する表示制御手段とを設けたものである。」
と訂正する。
（３）訂正事項ｃ
　原明細書の段落【００９７】の記載
「【００９７】
　　【発明の効果】
　以上詳記したように、この発明は、複数の受信情報を記憶することが可能な情報記憶手段を有し、該情報記憶手段に所定量の受信情報が記憶されるまでは、新たな情報を受信する毎に受信した情報を上記情報記憶手段に記憶し、所定量の受信情報が記憶された後は、新たな情報が受信される毎に上記情報記憶手段に記憶されている受信情報のうちの最古の情報を自動消去した上で受信した新たな情報を上記情報記憶手段に記憶する構成の情報受信装置において、上記情報記憶手段に記憶されている受信情報の内の所望の情報を、新たな情報が受信されても自動消去されないように保護する情報保護手段と、上記情報保護手段により保護された情報の保護を解除する保護解除手段と、上記情報記憶手段に記憶されている受信情報を保護されている情報を含めて受信順に読み出して表示させ、且つ読み出して表示させた情報が保護された情報である場合には更にその旨を明示する表示制御手段とを設けたものであるので、受信装置の使用者が真に望む受信情報のみを使用者が望む期間の間確実に保護しておくことができ、また情報記憶手段に記憶されている受信情報を表示する際には、保護されている情報を含む全ての受信情報それぞれの受信順位を把握することができるとともに、表示された情報が保護された情報であるか否かも確実に把握することができ、更には保護されている情報に関連する情報が保護されていない情報中にあった場合には、これらの情報の内容を相互の受信の前後関係を含めて把握することができる情報受信装置を提供することができる。」
を
「【００９７】
　　【発明の効果】
　以上詳記したように、この発明は、複数の受信情報を記憶することが可能な情報記憶手段を有し、該情報記憶手段に所定量の受信情報が記憶されるまでは、新たな情報を受信する毎に受信した情報を上記情報記憶手段に記憶し、所定量の受信情報が記憶された後は、新たな情報が受信される毎に上記情報記憶手段に記憶されている受信情報のうちの最古の情報を自動消去した上で受信した新たな情報を上記情報記憶手段に記憶する構成の情報受信装置において、上記情報記憶手段に記憶されている受信情報の内の所望の情報を、新たな情報が受信されても自動消去されないように保護する情報保護手段と、上記情報保護手段により保護された情報を消去すること無しに、当該情報の保護を解除する保護解除手段と、上記情報記憶手段に記憶されている受信情報の内の所望の情報を消去する情報消去手段と、上記情報記憶手段に記憶されている受信情報を保護されている情報を含めて受信順に読み出して表示させ、且つ読み出して表示させた情報が保護された情報である場合には更にその旨を明示する表示制御手段とを設けたものであるので、受信装置の使用者が真に望む受信情報のみを使用者が望む期間の間確実に保護しておくことができ、また情報記憶手段に記憶されている受信情報を表示する際には、保護されている情報を含む全ての受信情報それぞれの受信順位を把握することができるとともに、表示された情報が保護された情報であるか否かも確実に把握することができ、更には保護されている情報に関連する情報が保護されていない情報中にあった場合には、これらの情報の内容を相互の受信の前後関係を含めて把握することができる情報受信装置を提供することができる。」
と訂正する。
（訂正の適否）
（ｉ）上記訂正事項ａ中の「上記情報保護手段により保護された情報を消去すること無しに、当該情報の保護を解除する保護解除手段と、」との訂正は、保護解除手段が情報消去を伴わないことを明確化したものであり、明りょうでない記載の釈明を目的としたものである。
　また、上記訂正事項ａ中の「上記情報記憶手段に記憶されている受信情報の内の所望の情報を消去する情報消去手段と、」との訂正は、特許請求の範囲の減縮に該当する。
　そして、上記訂正事項ａ中の上記訂正は、明細書の記載に基づく訂正であって、新規事項の追加に該当せず、また、発明の目的等を逸脱するものではないので、実質上特許請求の範囲を拡張し又は変更するものでもない。
(ii)上記訂正事項ｂ，ｃは、上記訂正事項ａに適合するように、明細書の記載を訂正したものであり、明りょうでない記載の釈明に該当する。そして、新規事項を追加するものではなく、さらには、上記訂正事項ｂ，ｃによって、実質上特許請求の範囲が拡張され又は変更されるものでもない。
（まとめ）
　よって、本件の訂正は適法にされたものであるから、当該訂正を認める。
２．特許異議の申立てについて
（本件発明）
　上記のとおり、本件の訂正は認められるから、特許第３２５２３２６号（出願日６２年９月３０日、平成１３年１１月２２日設定登録）の発明（以下、本件発明という。）は、訂正された明細書に記載された次のとおりのものである。
「複数の受信情報を記憶することが可能な情報記憶手段を有し、該情報記憶手段に所定量の受信情報が記憶されるまでは、新たな情報を受信する毎に受信した情報を上記情報記憶手段に記憶し、所定量の受信情報が記憶された後は、新たな情報が受信される毎に上記情報記憶手段に記憶されている受信情報のうちの最古の情報を自動消去した上で受信した新たな情報を上記情報記憶手段に記憶する構成の情報受信装置において、
　上記情報記憶手段に記憶されている受信情報の内の所望の情報を、新たな情報が受信されても自動消去されないように保護する情報保護手段と、
　上記情報保護手段により保護された情報を消去すること無しに、当該情報の保護を解除する保護解除手段と、
　上記情報記憶手段に記憶されている受信情報の内の所望の情報を消去する情報消去手段と、
　上記情報記憶手段に記憶されている受信情報を保護されている情報を含めて受信順に読み出して表示させ、且つ読み出して表示させた情報が保護された情報である場合には更にその旨を明示する表示制御手段と
を具備したことを特徴とする情報受信装置。」
（取消理由通知で引用された刊行物に記載された発明）
　取消理由通知で引用された刊行物１（特開昭６０−１０６２３７号公報）には、ページャ装置に関する発明が記載されており、「受信回路１は・・・呼出装置からの信号を受信し、ページャを呼出すための呼出データとメッセージに対応するメッセージデータを復調する。・・・。・・・メッセージデータを記憶回路（ＭＥＭ）３に記憶させるとともに、実時間タイマ（ＴＩＭ）４からメッセージの着信があった月日、時刻を示す着信時刻データを得て、このデータも記憶回路３に記憶させる。・・・。このように記憶回路３に複数のメッセージデータとその着信時刻データが記憶されている時、制御回路２はそのメッセージデータから着信順に任意の１つのメッセージデータを着信時刻データとともに選択してバッファレジスタ５に蓄積し、ディスプレイ８に表示することができる。また、制御回路２はページャ扱者の操作によって記憶回路３内の任意のメッセージデータとその着信時刻データを消去することもできる。」（第２頁左上欄第１１行〜右上欄第１９行。・・・は、文章の省略箇所を示す。）と説明されている。
　同じく、取消理由通知で引用された上記刊行物２（特開昭６０−７４７３５号公報（異議申立人が提出した甲第３号証））には、無線選択呼出受信機に関する発明が記載されており、「例えばＲＡＭ３００に８個のメッセージが記憶されているとすると、第１２図（Ａ）に示すシンボルパターンＰ，Ｍ１〜Ｍ８，ＭＭ，ＶＢ，ＡＲ，→（三角の矢印のフォントがないので→で代用する。）を持つ表示器９０は、第１２図（Ｂ）に示すように記憶されている番号（Ｍ１〜Ｍ８）に対応して順にシンボルがＭ１からＭ８へと点灯すると共に、点灯しているシンボル（Ｍ１〜Ｍ８）に対応するメッセージの最初の部分（ＭＲ ＪＯＨＮ／ＨＵＲＲＹ）が順に表示されるので、機器操作者は必要なメッセージの箇所で再度スイッチＳ０をアクセスすることにより所望の記憶メッセージの内容を全てＬＣＤ９０上で確認することが可能となる。また、「メッセージファイルアクセスモード」でスイッチＳ１をアクセスすると、前述の記憶メッセージの読み出しと同一手順で、シンボル（Ｍ１〜Ｍ８）とそれに対応して格納されているメッセージの内容の最初の部分が、順に表示され、加えて読み出しモードと混乱しないように保護モードを示すシンボル”Ｐ”を点灯される。従って、操作者は保護したいメッセージファイルの位置でスイッチＳ０をアクセスすることにより重要と思うファイルを保護モードにすることが出来る。・・・内 部ＲＡＭ１８０内に記憶されているメッセージファイルの管理情報・・・。第１２図（Ｃ）は保護指定されたメッセージファイルＭ３の読み出し内容を示す図である。」（第６頁右下欄第１９行〜第７頁右上欄第１７行。・・・は文章省略箇所を示す。）と説明され、また、表１（第３頁左下欄）には、メッセージファイル保護モード、メッセージファイル一斉消去モードの内容について、それぞれ、「受信機内に記憶されている各受信メッセージに対応するファイルのうちのいずれかを保護したいときに設定。」、「受信機内に記憶されている受信メッセージファイルのうち保護されたものを除く全てのファイルを消去する。」と説明されている。
（対比・判断）
　本件発明と上記刊行物１記載の発明とを対比すると、
(1)上記刊行物１記載の発明のページャ装置は、受信したメッセージを記憶する記憶回路（ＭＥＭ）４を具備しており、本件発明の情報受信装置が、複数の受信情報を記憶することが可能な情報記憶手段を具備するとする点に相当する、
(2)上記刊行物１記載の発明において、制御回路２は、記憶回路（ＭＥＭ）４に記憶されている任意の１つのメッセージデータを着信順に取り出し、ディスプレイ８に表示させるようにしているところ、本件発明が、情報記憶手段に記憶されている受信情報を受信順に読み出して表示させる点に相当する。
  したがって、本件発明と上記刊行物１記載の発明とは、次の点で相違し、その余では一致する。
(a)本件発明が、情報記憶手段に所定量の受信情報が記憶されるまでは、新たな情報を受信する毎に受信した情報を上記情報記憶手段に記憶し、所定量の受信情報が記憶された後は、新たな情報が受信される毎に上記情報記憶手段に記憶されている受信情報のうちの最古の情報を自動消去した上で受信した新たな情報を上記情報記憶手段に記憶するとしているのに対し、上記刊行物１記載の発明にはその点についての言及がなされていない点
(b)本件発明においては、情報記憶手段に記憶されている受信情報の内の所望の情報を、新たな情報が受信されても自動消去されないように保護する情報保護手段と、上記情報保護手段により保護された情報を消去すること無しに、当該情報の保護を解除する保護解除手段を備えるとしているのに対し、上記刊行物１記載の発明はその点についての言及がなされていない点
(c)表示制御手段により受信情報を着信順に表示させるに際し、本件発明においては、情報記憶手段に記憶されている受信情報を保護されている情報を含めて表示させるとし、且つその旨を明示するとしているのに対し、上記刊行物１記載の発明はその点についての言及がなされていない点
  そこで上記相違点について検討する。
　上記相違点(a)について
　情報記憶手段に所定量の受信情報が記憶されるまでは、新たな情報を受信する毎に受信した情報を上記情報記憶手段に記憶し、所定量の受信情報が記憶された後は、新たな情報が受信される毎に上記情報記憶手段に記憶されている受信情報のうちの最古の情報を自動消去した上で受信した新たな情報を上記情報記憶手段に記憶するといったことは、本件出願前普通に知られてた周知技術（必要ならば、例えば、特開昭６０−２３０７２６号公報（本件の特許異議申立人が提出した甲第１号証）、特開昭５９−２２６９９４号公報（本件の特許異議申立人が提出した甲第２号証）を参照されたい。）にすぎないから、上記刊行物１記載の発明において、情報記憶手段に所定量の受信情報が記憶されるまでは、新たな情報を受信する毎に受信した情報を上記情報記憶手段に記憶し、所定量の受信情報が記憶された後は、新たな情報が受信される毎に上記情報記憶手段に記憶されている受信情報のうちの最古の情報を自動消去した上で受信した新たな情報を上記情報記憶手段に記憶するとすることは、当業者が適宜なし得ることにすぎない。
　上記相違点(b)について
　情報記憶手段に記憶されている受信情報の内の所望の情報を消去されないように保護する情報保護手段については、上記刊行物２に記載されている（保護したいメッセージファイルの設定をメッセージデータ処理部６０によって行うことが記載されている）から、上記相違点(a)で言及した周知技術とともに、上記刊行物２に記載された技術思想を上記刊行物１記載の発明に適用することにより、情報記憶手段に記憶されている受信情報の内の所望の情報を、新たな情報が受信されても自動消去されないように保護するとすることは、当業者が容易になし得ることにすぎない。
　しかし、情報保護手段により保護された情報を消去すること無しに、当該情報の保護を解除する保護解除手段については、上記刊行物１，２あるいは特許異議申立人が提出したいずれの刊行物にも記載されていない。また、この保護解除手段を設けることが、本件出願前周知であったとする証拠も見あたらない。
　したがって、保護解除手段を設ける点が、上記刊行物１，２等に基づき当業者が容易に導き出させたとすることはできない。
　上記相違点(c)について
　受信情報を表示するに際し、保護指定されたメッセージファイルであることを示すシンボルをも表示するとすることは、上記刊行物２に示されているから、上記刊行物１記載の発明に上記刊行物２の技術思想（情報保護手段を設けるとすること）を適用した際に、受信情報を保護されている情報を含めて表示させるとし、且つ、表示した受信情報が保護されたものであるときには、保護されたものである旨を示す表示を行うようにするとすることは、当業者が容易になし得ることにすぎない。
（まとめ）
　上記相違点（ｂ）についての検討で示したように、本件発明が保護解除手段を設ける点とする点が上記刊行物１、２等から容易に導き出せたとすることができないのであるから、本件発明の特許が、特許法第２９条第２項の規定に違反して特許されたものであるとすることはできない。
　また、他に本件発明の特許を取り消すべき理由も発見しない。
　
　よって、結論のとおり決定する。
【異議決定日】
平成１５年７月１５日（２００３．７．１５）
【訂正の要旨】
審決（決定）の【理由】欄参照。
（５４）【発明の名称】
情報受信装置
（５７）【特許請求の範囲】
１．　複数の受信情報を記憶することが可能な情報記憶手段を有し、該情報記憶手段に所定量の受信情報が記憶されるまでは、新たな情報を受信する毎に受信した情報を上記情報記憶手段に記憶し、所定量の受信情報が記憶された後は、新たな情報が受信される毎に上記情報記憶手段に記憶されている受信情報のうちの最古の情報を自動消去した上で受信した新たな情報を上記情報記憶手段に記憶する構成の情報受信装置において、
　上記情報記憶手段に記憶されている受信情報の内の所望の情報を、新たな情報が受信されても自動消去されないように保護する情報保護手段と、
　上記情報保護手段により保護された情報
を消去すること無しに、当該情報
　
上記情報記憶手段に記憶されている受信情報の内の所望の情報を消去する情報消去手段と、
　上記情報記憶手段に記憶されている受信情報を保護されている情報を含めて受信順に読み出して表示させ、且つ読み出して表示させた情報が保護された情報である場合には更にその旨を明示する表示制御手段と
を具備したことを特徴とする情報受信装置。
２．　上記情報記憶手段は記憶している各受信情報に対応してその情報が保護されたものであるか否かを表す識別情報を記憶する識別情報記憶エリアを有し、上記情報保護手段は保護すべき所望の情報に対応する識別情報記憶エリアの識別情報を、保護されたものであることを表す識別情報に書換える手段であり、上記保護解除手段は保護を解除すべき所望の保護済み情報に対応する識別情報記憶エリアの識別情報を、保護されていないものであることを表す識別情報に書換える手段であることを特徴とする請求項１記載の情報受信装置。
３．　上記情報保護手段により所望の情報を保護する際、既に保護されている情報の数が所定数と成っていた場合には、当該情報の保護を禁止する禁止手段を具備したことを特徴とする請求項１又は２記載の情報受信装置。
４．　上記表示制御手段は、上記情報記憶手段に記憶されている受信情報を最新の受信情報から表示させる手段であることを特徴とする請求項１乃至３の何れかに記載の情報受信装置。
５．　上記表示制御手段は、上記情報記憶手段に記憶されている受信情報を読み出して表示させた際、当該受信情報の受信順位を表わす情報も同時に表示させる手段であることを特徴とする請求項１乃至４の何れかに記載の情報受信装置。
【発明の詳細な説明】
　【０００１】
　【発明の属する技術分野】
　この発明は、個別選択呼出無線通信システムに使用される表示機能付選択呼出受信機のような情報受信装置に関する。
　【０００２】
　【従来の技術】
　個別選択呼出無線通信システムにおいては、複数のメッセ―ジ情報を記憶するためのメモリを有し、呼出し時に、受信したメッセ―ジ情報を表示部で表示すると共に、その受信したメッセ―ジ情報を前記メモリに記憶させておき、後のスイッチ操作で再表示できる表示機能付選択呼出受信機も使用されている。この種の受信機では、メモリ容量が一杯となった場合、その後の着信毎にメモリに記憶されているメッセ―ジ情報をその古い順に自動消去するようになっていた。
　【０００３】
　【発明が解決しようとする課題】
　しかしながら上記のような従来の情報受信装置にあっては、受信装置の使用者が記憶保持させておきたいと望む受信情報であっても、その受信情報が記憶されている受信情報の中で最古のものとなると、メモリに新たな受信情報を記憶するエリアが無い場合には新しい情報が受信されると自動消去されるので、当該情報を受信装置の使用者が望む期間の間確実に記憶保持させておくことはできなかった。
　【０００４】
　この発明は上記のような実情に鑑みてなされたもので、受信装置の使用者が望む受信情報は使用者が望む期間の間確実に記憶保持しておくこと、すなわち新しい情報が受信されても自動消去されないように保護することができ、また情報記憶手段に記憶されている受信情報を表示する際には、保護されている情報を含む全ての受信情報それぞれの受信順位を把握でき、且つ表示された情報が保護された情報であるか否かも確実に把握することができる情報受信装置を提供することを目的とする。
　【０００５】
　【課題を解決するための手段】
　この発明は、複数の受信情報を記憶することが可能な情報記憶手段を有し、該情報記憶手段に所定量の受信情報が記憶されるまでは、新たな情報を受信する毎に受信した情報を上記情報記憶手段に記憶し、所定量の受信情報が記憶された後は、新たな情報が受信される毎に上記情報記憶手段に記憶されている受信情報のうちの最古の情報を自動消去した上で受信した新たな情報を上記情報記憶手段に記憶する構成の情報受信装置において、上記情報記憶手段に記憶されている受信情報の内の所望の情報を、新たな情報が受信されても自動消去されないように保護する情報保護手段と、上記情報保護手段により保護された情報
を消去すること無しに、当該情報
上記情報記憶手段に記憶されている受信情報の内の所望の情報を消去する情報消去手段と、
　【０００６】
　上記のような構成とすることにより、情報記憶手段に記憶されている受信情報の内の所望の情報は新たな情報が受信されても自動消去されないように保護でき、且つ保護されている情報は必要に応じてその保護を解除することができるので、受信装置の使用者が真に望む受信情報のみを使用者が望む期間の間確実に保護しておくことができ、また、情報記憶手段に記憶されている受信情報は保護されている情報を含めて受信順に読み出し表示され、且つ読み出し表示された情報が保護された情報である場合には更にその旨が明示されるので、保護されている情報を含む全ての受信情報それぞれの受信順位を把握することができるとともに、表示された情報が保護された情報であるか否かも確実に把握することができ、更には保護されている情報に関連する情報が保護されていない情報中にあった場合には、これらの情報の内容を相互の受信の前後関係を含めて把握することができる。
　【０００７】
　【発明の実施の形態】
　以下図面を参照してこの発明の一実施例を説明する。
　【０００８】
　まず図１によりその回路構成を示す。１１はアンテナであり、このアンテナ１１で受信されたメッセ―ジを含む呼出しの電波は無線部１２に送られる。この無線部１２は、デコ―ダ部１３の駆動により間欠受信を行なうもので、受信電波を増幅、復調してデコ―ダ部１３に送出する。デコ―ダ部１３では、呼出された番号が自己の認識番号と一致するか否かを判断し、一致した場合には呼出検出信号と共に呼出された番号が自己のどの認識番号であったのか、あるいは呼出し番号に付加された呼出しの種別が何であったのかを表わす呼出種別情報と、呼出番号に引続いて受信されるメッセ―ジ情報とをＣＰＵ１４に送る。ＣＰＵ１４は、デコ―ダ部１３からの信号及びスイッチ入力部１５からの入力信号に応じて他の回路全体の動作制御を行なうもので、各種制御プログラムを記憶したＲＯＭやタイマ―、演算レジスタ等から構成される。スイッチ入力部１５には、電源のオン／オフを制御するメインスイッチ１６、放音あるいはメッセ―ジ表示の途中解除を指示するリセットスイッチ１７、メッセ―ジ情報の保護を行なうプロテクトモ―ドやメッセ―ジデ―タの消去を行なうデリ―トモ―ド、記憶したメッセ―ジ情報の印字出力を行なうプリントアウトモ―ド等のモ―ド選択を行なうモ―ド選択スイッチ１８、各モ―ドで動作の実行を指示する実行スイッチ１９、記憶されたメッセ―ジ情報の順次表示を指示するメモリバンクスイッチ２０、プリントアウトモ―ド時の印字内容を選択する印刷モ―ド選択スイッチ２１及び呼出し音の音量調節を行なう音量スイッチ２２等が接続され、その操作に応じた信号を上記ＣＰＵ１４に送出する。ＣＰＵ１４は、計時動作を行なう時計部２３、複数のメッセ―ジデ―タや制御デ―タを記憶するＲＡＭ２４と接続され、受信したメッセ―ジ情報等を時刻デ―タと共にＲＡＭ２４に記憶する一方、アンプ２５を介してスピ―カ２６に放音信号を、アンプ２７を介してＬＥＤ２８に点灯信号をそれぞれ送出して呼出しのあったことを報知させる。そして、ＣＰＵ１４は、液晶表示素子で構成される表示部２９にメッセ―ジ情報等の表示デ―タを出力して表示させ、また、外部端子３０を介して接続されるプリンタ３１に印字デ―タを出力し、印字出力させる。
　【０００９】
　上記メインスイッチ１６をオフとした場合、ＣＰＵ１４、スイッチ入力部１５、時計部２３及びＲＡＭ２４以外の回路はすべて電源供給がストップされる。
　【００１０】
　上記表示部２９は、例えば図２に示すような表示パタ―ンとなる。同図において表示部２９には、英数・カナ・平仮名・漢字によりメッセ―ジ情報を表示するメッセ―ジ表示部２９ａの他に、プロテクトモ―ドに入ったことを知らせるプロテクトモ―ド表示体２９ｂ、デリ―トモ―ドに入ったことを知らせるデリ―トモ―ド表示体２９ｃ、プリントアウトモ―ドに入ったことを知らせるプリントアウトモ―ド表示体２９ｄ、時刻調整モ―ドに入ったことを知らせる時刻調整モ―ド表示体２９ｅ、まだ一度も表示していないメッセ―ジ情報があり、したがって、まだ確認していないメッセ―ジ情報があることを知らせる未確認（未表示）表示体２９ｆ、表示されているメッセ―ジ情報が保護メッセ―ジ情報があることを知らせるプロテクトメッセ―ジ表示体２９ｇ、電源となる電池が消耗していることを知らせる電圧低下表示体２９ｈ、現在音量スイッチ２２がどの位置にあるのかを知らせる音量表示体２９ｉ、表示されているメッセ―ジ情報のＮｏとその呼出しの種別情報を表示するメッセ―ジＮｏ及び呼出し種別表示部２９ｊが配設される。上記メッセ―ジ表示部２９ａとメッセ―ジＮｏ及び呼出し種別表示部２９ｊは、共にドットマトリクスで構成されるもので、メッセ―ジ表示部２９ａは全角文字で１２文字×２行、メッセ―ジＮｏ及び呼出し種別表示部２９ｊは同３文字の表示が可能となる。
　【００１１】
　上記ＲＡＭ２４内には、図３（Ａ）に示す管理デ―タメモリ２４ａや図３（Ｂ）に示すメッセ―ジメモリ２４ｂ及びバンクカウンタ、未表示フラグカウンタ、フラッシングフラグレジスタ、モ―ドカウンタ、印刷モ―ドカウンタ、処理済フラグレジスタ、初期状態フラグレジスタ等が設けられるものである。
　【００１２】
　図３（Ａ）に示すように管理デ―タメモリ２４ａは、メッセ―ジ情報を管理するための管理デ―タを記憶するものである。管理デ―タは、そのメッセ―ジ情報を保護するか否かを示すプロテクトフラグ、そのメッセ―ジが未だ表示されていないか否かを示す未表示フラグ、放音の途中で放音の停止を指示する上記リセットスイッチ１７が操作されたか否かを示すリセットフラグ、呼出しの種別を示す情報、メッセ―ジメモリ２４ｂにおけるメッセ―ジ情報の記憶エリアを示すバンクＮｏ、着信時の日時が１組として構成されるもので、複数組、例えば３０組の管理デ―タがこの管理デ―タメモリ２１ａにＬＩＦＯ方式で記憶される。
　【００１３】
　一方、図３（Ｂ）に示す如くメッセ―ジメモリ２４ｂは、実際に受信されたメッセ―ジ情報を、メッセ―ジ情報のどのブロックにエラ―があったかを示すエラ―情報と組にしてペ―ジ管理で複数組、例えば３０組記憶するものである。
　【００１４】
　ここで、アンテナ１１で受信され、無線部１２で復調される選択呼出信号の構成について述べておく。例えば、国際標準となっているＰＯＣＳＡＧ方式の選択呼出信号は、プリアンブルというビット単位の同期を取るためのヘッダ―部と、１個以上Ｎ個連続するバッチというデ―タ部分からなる。このバッチ１個は、同期コ―ドワ―ドとそれに続く８個のフレ―ムからなり、１フレ―ムは２つのコ―ドワ―ドからなる。コ―ドワ―ドには、アドレス（ＩＤ−番号）コ―ドワ―ドとメッセ―ジコ―ドワ―ドの２種類があり、共に３２ビットで構成されている。
　【００１５】
　アドレスコ―ドワ―ドは、呼出番号（アドレス）のためのコ―ドワ―ドで、第１ビットが”０”に設定された１１ビットからなるアドレスビットと、これに２ビットのファンクションビット及び１１ビットのパリティビットが付加されて構成されている。前記ファンクションビットは呼出番号に付加された呼出種別情報であり、このビットによりマルチアドレスコ―ルと呼ばれる４種類の区別ができ、１つのＩＤに対して異なった４種の鳴音及び表示（記号「Ａ」〜「Ｄ」で表示する）ができるようになっている。
　【００１６】
　一方、メッセ―ジコ―ドワ―ドはメッセ―ジ情報のためのコ―ドワ―ドで、第１ビットが”１”に設定された２１ビットからなるメッセ―ジビットと、１１ビットのパリティビットからなり、メッセ―ジがある場合にはアドレスコ―ドワ―ドに続けて送信されるものである。
　【００１７】
　次に上記実施例の動作について説明する。
　【００１８】
　いま、メインスイッチ１６をオンとすると、その操作信号がスイッチ入力部１５からＣＰＵ１４に送られ、無線部１２、デコ―ダ部１３、アンプ２５、スピ―カ２６、アンプ２７、ＬＥＤ２８及び表示部２９への電源の供給が開始されると共に、ＣＰＵ１４によって図４に示す処理が開始される。
　【００１９】
　図４では、まず、ステップＡ０１に示すように各回路を初期化する。ここでは、表示部２９の表示内容、ＣＰＵ１４内部のタイマ―、ＲＡＭ２４内のバンクカウンタ等が初期設定される。次いでステップＡ０２に進み、スイッチ入力部１５からの入力信号を読込んで、リセットスイッチ１７、モ―ド選択スイッチ１８、実行スイッチ１９、メモリバンクスイッチ２０、印刷モ―ド選択スイッチ２１及び音量スイッチ２２のいずれかが操作されたか否かを判断する。その後、ステップＡ０３で着信があるか否か判断する。ないと判断した場合は次にステップＡ０４に至り、上記ステップＡ０２の操作スイッチの読込みの結果に応じてメモリバンクスイッチ２０が操作されたか否かを判断する。ここでメモリバンクスイッチ２０も操作されなかったと判断した場合には、次にステップＡ０５で今度はモ―ド選択スイッチ１８が操作されたか否かを判断する。そして、モ―ド選択スイッチ１８も操作されなかったと判断した場合には、再び上記ステップＡ０２に戻る。すなわち、通常の待機状態では適宜時間間隔を取ってステップＡ０２〜Ａ０５の処理を繰返し実行するものである。
　【００２０】
　上記ステップＡ０３で着信ありと判断された場合は、次にステップＡ０６に進んで着信処理を行なう。この着信処理は、アンテナ１１で受信され、無線部１２で復調された後、デコ―ダ部１３でデコ―ドされた着信デ―タと、その時点での時計部２３の計時による日時とを、所定時間、例えば６０秒以内に送信されたリピ―トコ―ルによる２度目のデ―タではないことを確認した上で、ＲＡＭ２４に記憶する。
　【００２１】
　この場合、着信デ―タとしては、前述した呼出しの種別情報、メッセ―ジコ―ドワ―ドが有る場合にメッセ―ジ内容を示すメッセ―ジ情報とそのエラ―情報が記憶される。着信デ―タのメッセ―ジ情報及びそのエラ―情報はメッセ―ジメモリ２４ｂの空きバンクに記憶されるが、呼出しの種別情報及び着信日時は、管理デ―タメモリ２４ａに記憶済みの着信デ―タを１バンク分ずつシフト処理してメッセ―ジを記憶したメッセ―ジメモリ２４ｂのバンクＮｏと共に第１バンクに記憶される。
　【００２２】
　そして、これと同時に、第１バンクの未表示フラグレジスタに、後述する読出処理でメッセ―ジが表示された時にリセットされる未表示フラグ”１”がセットされ、且つ、未確認表示体２９ｆの点灯制御に用いられる未表示フラグカウンタのカウント値が「＋１」される。
　【００２３】
　また、この時、管理デ―タメモリ２４ａに既に３０組のデ―タが記憶されていた場合は、シフト処理により古いものから順次消去されるが、未表示フラグ及びプロテクトフラグそれぞれに”１”のデ―タと”０”のデ―タとが混在する場合は、未表示フラグ及びプロテクトフラグが”０”のデ―タ、すなわち、メッセ―ジ情報が確認済みであり、且つ、保護されていないデ―タ、次にプロテクトフラグが”０”のデ―タ、すなわち、メッセ―ジ情報が未確認ではあるが保護されていないデ―タの順に消去する形でシフト処理を行なう。
　【００２４】
　ここでは、３０組のデ―タのうち、プロテクトフラグを”１”として保護することのできるメッセ―ジデ―タの数を例えば２０組までと規定する。管理デ―タメモリ２４ａに既に３０組のデ―タが記憶されており、且つ、それらのうちの２０組にプロテクトフラグ”１”がセットされている場合は、残りの１０組の古いものから順次消去する形でシフト処理されることとなる。
　【００２５】
　ＲＡＭ２４への記憶の後、呼出しがあったことを示すためにアンプ２５を介してスピ―カ２６を駆動し、鳴音（放音）を開始する。この場合、鳴音は前記呼出しの種別情報に応じて相異なるものとなる。これと同時にアンプ２７を介してＬＥＤ２８の点滅、表示部２９の未確認（未表示）表示体２９ｆの点灯、メッセ―ジ表示部２９ａでの「着信有りました」の文字の表示等、着信に応じた表示処理を行なうと共に、この表示時間を計時するタイマ―をスタ―トさせる。
　【００２６】
　そして、リセットスイッチ１７が操作されるか、所定時間、例えば「８」秒間が経過するまで表示を行ない、リセットスイッチ１７が操作されるか、タイマ―の計時時間が所定の「８」秒となり、タイムアップとなると、表示部２９及びＬＥＤ２８での表示をオフとし、この着信処理を終了する。
　【００２７】
　上記のようにして着信処理が行なわれ、鳴音及び表示の処理が行なわれると共に、ＲＡＭ２４に着信デ―タが記憶される。このＲＡＭ２４に記憶された着信デ―タは、上記図３のステップＡ０４でメモリバンクスイッチ２０が操作されたと判断された場合に、続くステップＡ０７において読出処理される。
　【００２８】
　読出処理によるデ―タ読出時には、メモリバンクスイッチ２０を一回操作する毎に順次着信デ―タを表示する通常モ―ドと、一旦メモリバンクスイッチ２０を２秒間以上連続して操作することによりモ―ドを設定し、ＲＡＭ２４に記憶されている着信デ―タのうち未表示の着信デ―タを検索して表示させるサ―チデ―タモ―ドとがある。
　【００２９】
　処理当初には、まずＣＰＵ１４内のメモリバンクスイッチ２０の操作時間を計時する２秒タイマ―とデ―タの表示時間を計時する３０秒タイマ―の計時を開始させ、バンクカウンタに初期値「１」をセットした後、通常のモ―ドとしてバンクカウンタのカウント値に従って着信デ―タを読出し、その着信デ―タ、すなわち、呼出しの種別情報、メッセ―ジ情報を着信日時の情報と共に表示部２９に表示する。
　【００３０】
　ここで、もしそのメッセ―ジ情報が未表示のメッセ―ジ情報であった場合、すなわち、バンクカウンタのカウント値で指定される管理デ―タメモリの対応するバンクの未表示フラグレジスタにフラグ”１”がセットされていた場合には、このフラグをリセットし、且つ、未表示フラグカウンタのカウント値を「−１」すると共に、表示部２９ｊに表示されているメッセ―ジＮｏ及び呼び種別記号をフラッシングさせる。
　【００３１】
　また、表示されるメッセ―ジ情報がエラ―のあるメッセ―ジ情報であった場合には、このメッセ―ジ情報に対応してメッセ―ジメモリ２４ｂに記憶されていたエラ―情報により指定される表示桁部が反転表示されることとなる。
　【００３２】
　デ―タ表示後、表示の中止を指示するリセットスイッチ１７あるいは、次の着信デ―タの表示を指示するメモリバンクスイッチ２０が操作されるか、３０秒タイマ―、２秒タイマ―がタイムアップするまで表示を続行する。３０秒タイマ―がタイムアップした場合には、所定時間の表示を終えたこととなるので、その表示をオフすると共にサ―チモ―ドが設定されていた場合はそのモ―ド設定をもオフし、以上でこの読出し処理を終了する。
　【００３３】
　また、表示途中でリセットスイッチ１７が操作されたと判断された場合も、そのリセットスイッチ１７の操作に従い、表示をオフすると共にサ―チモ―ドのモ―ド設定をオフし、読出し処理を終了する。
　【００３４】
　２秒タイマ―がタイムアップした場合は、メモリバンクスイッチ１８が連続して２秒以上操作され、未表示のサ―チモ―ドの設定が指示されたことになるので、そのサ―チモ―ドのセットを行なった後、バンクカウンタのカウント値を「＋１」更新設定し、それから次の着信デ―タが未表示デ―タであることを確認した上で上記デ―タ表示からの動作を繰返す。
　【００３５】
　また、デ―タ表示途中でメモリバンクスイッチ２０が新たにオンされた場合は、次のバンクの着信デ―タの表示を促す指示であるので、これに従い、未表示デ―タサ―チモ―ドをリセットすると共に、２秒タイマ―と３０秒タイマ―の計時動作を再スタ―トさせた後、バンクカウンタのカウント値を「＋１」更新設定し、そのカウント値に応じて次の着信デ―タすなわち表示中の着信デ―タよりも１つ前に着信した着信デ―タの表示を行なう。
　【００３６】
　このように、通常のモ―ドにおいてはメモリバンクスイッチ２０が１回操作される毎に、また、サ―チモ―ドにおいては未表示の着信デ―タのみをＲＡＭ２４から選択して表示させることができる。
　【００３７】
　以上は通常のモ―ドでの着信処理及び読出処理を示したものであるが、上記図４のステップＡ０５でモ―ドの切換を指示するモ―ド選択スイッチ１８が操作されたと判断されると、次いでステップＡ０８に進み、モ―ドの切換選択処理を行なう。このモ―ド選択処理は、ＲＡＭ２４内部に備えられるモ―ドカウンタのカウント値を更新設定する。モ―ドカウンタは、通常モ―ドとプロテクトモ―ド、デリ―トモ―ド、プリントアウトモ―ド及び時刻調整モ―ドの５つのモ―ド状態を示す５進カウンタで構成され、カウント値「０」で通常モ―ドを、カウント値「１」でプロテクトモ―ドを、カウント値「２」でデリ―トモ―ドを、カウント値「３」でプリントアウトモ―ドを、そして、カウント値「４」で時刻調整モ―ドをそれぞれ表わす。したがって、通常モ―ドでのモ―ドカウンタのカウント値は「０」であり、そこでモ―ド選択スイッチ１８を１回操作してステップＡ０５からステップＡ０８に至り、モ―ド選択処理が行なわれると、同モ―ドカウンタのカウント値は「＋１」更新設定されて「１」となる。このモ―ドカウンタのカウント値に対応して、続くステップＡ０９で選択したモ―ドに応じた処理が行なわれ、処理後、再び上記ステップＡ０２からの処理を繰返す。
　【００３８】
　いま、ステップＡ０２〜Ａ０５の処理を繰返し実行する通常モ―ドでの受信待機状態であるものとする。この時、表示部２９においては、電力容量に制限のある表示機能付選択呼出受信機の電力消費を極力避けるため、図５（Ａ）に示すように全ての表示体２９ａ〜２９ｉの駆動を停止している。このような状態でモ―ド選択スイッチ１８が操作されると、これがステップＡ０５で判断され、次いでステップＡ０８に至る。ステップＡ０８でＲＡＭ２４内のモ―ドカウンタのカウント値を「０」から「＋１」更新設定して「１」とし、続くステップＡ０９でこのカウント値「１」に対応して図６に示すプロテクトモ―ド処理が行なわれる。
　【００３９】
　図６においては、まずステップＢ０１に示すようにモ―ド表示の最低時間である「８」秒が設定されたＣＰＵ１４内部の８秒カウンタの計時をセットし、スタ―トさせる。次いでステップＢ０２で表示部２９においてプロテクトモ―ドにモ―ドが移行したことを表示させる。この場合、表示部２９では、図５（Ｂ）に示すようにメッセ―ジ表示部２９ａに「プロテクトモ―ド」の文字を表示する一方、プロテクトモ―ド表示体２９ｂを点灯駆動する。また、これと共にバンクカウンタの内容によりＲＡＭ２４内の管理デ―タメモリ２４ａの第１バンクに記憶されている最も新しいメッセ―ジ情報の呼出種別情報を読出し、これをメッセ―ジＮｏ及び呼出し種別表示部２９ｊに、例えば「０１Ｃ」というように表示する。
　【００４０】
　その後、ステップＢ０３で上記８秒タイマ―かタイムアップしたか、ステップＢ０４でリセットスイッチ１７が操作されたか否か、ステップＢ０５でモ―ド選択スイッチ１８が操作されたか否か、ステップＢ０６で実行スイッチ１９が操作されたか否か、そして、ステップＢ０７でメモリバンクスイッチ２０が操作されたか否かが連続して判断される。これらのいずれにおいてもＮＯであると判断された場合はステップＢ０３に戻り、以下ステップＢ０３〜Ｂ０７の処理を繰返しながらスイッチの操作入力を待機する。
　【００４１】
　上記ステップＢ０３で８秒タイマ―がタイムアップしたと判断された場合、このプロテクトモ―ドにおけるスイッチ操作が８秒間のあいだ行なわれず、同様にこれ以上このプロテクトモ―ドの表示を続行してもスイッチ操作がなされないものと判断して、次にステップＢ０８に進んでモ―ドカウンタの内容をリセットして「０」にする等のリセット処理を行なう。これに応じて表示も図５（Ｂ）に示すプロテクトモ―ドの表示状態から矢印ＴＵに示すように図５（Ａ）の通常モ―ドの待機状態に戻り、以上でこの処理を終了する。
　【００４２】
　また、上記ステップＢ０４でリセットスイッチ１７が操作されたと判断した場合も、このリセットスイッチ１７操作に従ってプロテクトモ―ドを解除すべく、上記と同様に次にステップＢ０８に進んでモ―ドカウンタの内容をリセットして「０」とし、これに応じて表示も図５（Ｂ）に示すプロテクトモ―ドの表示状態から矢印ＴＵに示すように図５（Ａ）の通常モ―ドの待機状態に戻り、以上でこの処理を終了する。
　【００４３】
　ステップＢ０５においてモ―ド選択スイッチ１８が操作されたと判断した場合は、このスイッチ操作に応じて続くステップＢ０９でモ―ドカウンタのカウント値を「＋１」更新設定し、デリ―トモ―ドへのモ―ド変換を行なって表示を図５（Ｃ）に示す表示状態にした後、以上でこの処理を終了する。
　【００４４】
　上記ステップＢ０７でメモリバンクスイッチ２０が操作されていると判断した場合は、次いでステップＢ１０でバンクカウンタのカウント値を「＋１」更新設定した後、ステップＢ１１で更新設定したカウント値がＲＡＭ２４に記憶されている着信デ―タの数を越えているか否か判断する。
　【００４５】
　越えていないと判断されると、続くステップＢ１２においてメッセ―ジ情報の表示時間を計時する３０秒タイマ―をセットし、スタ―トさせると同時に、ステップＢ１３でバンクカウンタのカウント値に従ってＲＡＭ２４から対応するメッセ―ジ情報等の着信デ―タを読出し、表示部２９のメッセ―ジ表示部２９ａ等に表示させる。
　【００４６】
　その後、ステップＢ０３で今度は上記３０秒タイマ―がタイムアップしたと判断されるか、ステップＢ０３〜Ｂ０７で各スイッチが操作されたと判断されるまでこのメッセ―ジ表示を続行する。
　【００４７】
　なお、上記ステップＢ１１で更新設定したバンクカウンタのカウント値がＲＡＭ２４に記憶されている着信デ―タの数を越えていると判断された場合は、続いてステップＢ１４に至り、改めてバンクカウンタに初期値「１」をセットした後、ステップＢ１２に進む。
　【００４８】
　上記のようにメモリバンクスイッチ２０を操作して保護したいメッセ―ジ情報を選択して表示させた後、デ―タプロテクトの処理の実行を指示する実行スイッチ１９を操作すると、これがステップＢ０６で検出されてステップＢ１５に進み、現在バンクカウンタで指定されている管理デ―タメモリ２４ａのバンクにプロテクトフラグ”１”がセットされているか否か、すなわち、現在表示中のメッセ―ジがすでにプロテクトされているメッセ―ジであるか否かを判断する。
　【００４９】
　ステップＢ１５でセットされていないと判断されると、次にステップＢ１６に進む。ステップＢ１６では、指定されたメッセ―ジ情報のプロテクトが可能か否か、すなわち、すでにＲＡＭ２４の管理デ―タメモリ２４ａに設定してあるプロテクトフラグの数が２０個未満であるか否かが判断される。
　【００５０】
　プロテクト可能であると判断された場合は、次いでステップＢ１７に進み、該当するメッセ―ジ情報のプロテクトフラグ”１”をセットした後、ステップＢ１８で８秒タイマ―をセットし、スタ―トさせると同時に、ステップＢ１９でプロテクト完了表示として表示部２９のメッセ―ジ表示部２９ａに例えば
　「メッセ―ジを保護しました。」
なる文字表示を行なう。以後、ステップＢ０３からの処理を行ない、８秒タイマ―がタイムアップするまでこのプロテクト完了表示を続行する。
　【００５１】
　また、上記ステップＢ１６でプロテクトが不可能である、すなわち、すでに２０組のメッセ―ジ情報のプロテクトを行なっていると判断された場合には、ステップＢ２０に進んでやはり８秒タイマ―をセットし、スタ―トさせると同時に、ステップＢ２１でプロテクト不能表示として表示部２９のメッセ―ジ表示部２９ａに例えば
　「保護容量が一杯です。」
なる文字表示を行なう。以後、ステップＢ０３からの処理を行ない、８秒タイマ―がタイムアップするまでこのプロテクト不能表示を続行する。
　【００５２】
　一方、ステップＢ１５でプロテクトフラグ”１”がセットされていると判断された場合は、ステップＢ２２に進み、プロテクトフラグをリセットした後、ステップＢ２３で８秒タイマ―をセットし、スタ―トさせると同時に、ステップＢ２４でプロテクト解除完了表示として表示部２９のメッセ―ジ表示部２９ａに
　「プロテクトを解除しました。」
なる文字表示を行なう。このプロテクト解除処理は、本来プロテクトの必要のないメッセ―ジを誤ってプロテクトした場合、あるいはステップＢ１６でプロテクトが不可能であると判断された場合に行なわれるもので、ステップＢ２４でプロテクト解除完了表示をスタ―トさせた後はステップＢ０３に戻り、８秒タイマ―がタイムアップするかステップＢ０４からステップＢ０７でスイッチ操作が検出されるまでこのプロテクト解除完了表示を続行する。
　【００５３】
　次に上記ステップＢ０９に示したように、プロテクトモ―ドからモ―ド選択スイッチ１８を操作し、モ―ドカウンタのカウント値を更新設定して「２」とし、デリ―トモ―ドに切替えた後の、デリ―トモ―ド処理を図７を用いて説明する。
　【００５４】
　図７においては、まずステップＣ０１に示すようにモ―ド表示の最低時間である「８」秒が設定されたＣＰＵ１４内部の８秒カウンタの計時をセットし、スタ―トさせる。次いでステップＣ０２で表示部２９においてデリ―トモ―ドにモ―ドが移行したことを表示させる。この場合、表示部２９では、図５（Ｃ）に示すようにメッセ―ジ表示部２９ａに「デリ―トモ―ド」の文字を表示する一方、デリ―トモ―ド表示体２９ｃを点灯駆動する。また、これと共にバンクカウンタの内容によりＲＡＭ２４内の管理デ―タメモリ２４ａの対応するバンクに記憶されているメッセ―ジ情報の呼出種別情報を読出し、これをメッセ―ジＮｏ及び呼出し種別表示部２９ｊに、例えば「０１Ｃ」というように表示する。
　【００５５】
　その後、ステップＣ０３で上記８秒タイマ―かタイムアップしたか、ステップＣ０４でリセットスイッチ１７が操作されたか否か、ステップＣ０５でモ―ド選択スイッチ１８が操作されたか否か、ステップＣ０６で実行スイッチ１９が操作されたか否か、そして、ステップＣ０７でメモリバンクスイッチ２０が操作されたか否かが連続して判断される。これらのいずれにおいてもＮＯであると判断された場合はステップＣ０３に戻り、以下ステッフ℃０３〜Ｃ０７の処理を繰返しながらスイッチの操作入力を待機する。
　【００５６】
　上記ステップＣ０３で８秒タイマ―がタイムアップしたと判断された場合、このデリ―トモ―ドにおけるスイッチ操作が８秒間のあいだ行なわれず、同様にこれ以上このデリ―トモ―ドの表示を続行してもスイッチ操作がなされないものと判断して、次にステップＣ０８に進んでモ―ドカウンタの内容をリセットして「０」にする等のモ―ドリセット処理を行なう。これに応じて表示も図５（Ｃ）に示すデリ―トモ―ドの表示状態から矢印ＴＵに示すように図５（Ａ）の通常モ―ドの待機状態に戻り、以上でこの処理を終了する。
　【００５７】
　また、上記ステップＣ０４でリセットスイッチ１７が操作されたと判断した場合も、このリセットスイッチ１７操作に従ってデリ―トモ―ドを解除すべく、上記と同様に次にステップＣ０８に進んでモ―ドカウンタの内容をリセットして「０」とし、これに応じて表示も図５（Ｃ）に示すデリ―トモ―ドの表示状態から矢印ＴＵに示すように図５（Ａ）の通常モ―ドの待機状態に戻り、以上でこの処理を終了する。
　【００５８】
　ステップＣ０５においてモ―ド選択スイッチ１８が操作されたと判断した場合は、このスイッチ操作に応じて続くステップＣ０９でモ―ドカウンタのカウント値を「＋１」更新設定し、プリントアウトモ―ドへのモ―ド変換を行なって表示を図５（Ｄ）に示す表示状態にした後、この処理を終了する。
　【００５９】
　上記ステップＣ０７でメモリバンクスイッチ２０が操作されていると判断した場合は、次いでステップＣ１０でＲＡＭ２４内の表示制御用の処理済フラグレジスタにフラグ”１”がセットしてあるか否か判断する。
　【００６０】
　セットしてあると判断された場合は、その前の時点ですでに着信デ―タのデリ―トが行なわれていることとなるので、次にステップＣ１１に進み、ＲＡＭ２４の管理デ―タメモリ２４ａに記憶された着信デ―タのソ―ト処理を行なうと共に、記憶されている着信デ―タのデ―タ数を「−１」更新設定し、上記処理済フラグレジスタをリセットして”０”とする。
　【００６１】
　また、ステップＣ１０で処理済フラグ”１”がセットされていないと判断された場合はステップＣ１２に進み、バンクカウンタのカウント値を「＋１」更新設定しする。
　【００６２】
　ステップＣ１１あるいはステップＣ１２の処理後、バンクカウンタのカウント値がＲＡＭ２４に記憶されている着信デ―タの数を越えていないか否か判断する。越えていないと判断されると、続くステップＣ１４においてメッセ―ジ情報の表示時間を計時する３０秒タイマ―をセットし、スタ―トさせると同時に、ステップＣ１５でバンクカウンタのカウント値に従ってＲＡＭ２４から対応するメッセ―ジ情報等の着信デ―タを読出し、表示部２９のメッセ―ジ表示部２９ａ等に表示させる。
　【００６３】
　その後、ステップＣ０３で今度は上記３０秒タイマ―がタイムアップしたと判断されるか、ステップＣ０３〜Ｃ０７で各スイッチが操作されたと判断されるまでこのメッセ―ジ表示を続行する。
　【００６４】
　なお、上記ステップＣ１３で、更新設定したバンクカウンタのカウント値がＲＡＭ２４に記憶されている着信デ―タの数を越えていると判断された場合は、続いてステップＣ１６に至り、改めてバンクカウンタに初期値「１」をセットした後、ステップＣ１４に進む。
　【００６５】
　上記のようにメモリバンクスイッチ２０を操作してデリ―トしたいメッセ―ジ情報を選択して表示させた後、デリ―トの処理の実行を指示する実行スイッチ１９を操作すると、これがステップＣ０６で判断され、次にステップＣ１７に進む。ステップＣ１７では、実際にＲＡＭ２４の管理デ―タメモリ２４ａ、メッセ―ジメモリ２４ｂにおける指定されたメッセ―ジ情報、その他対応するデ―タの消去処理を行なう。その後、ステップＣ１８で、処理済フラグ”１”をセットした後、ステップＣ１９で３０秒タイマ―をセットし、スタ―トさせると同時に、ステップＣ２０でデリ―ト完了表示として表示部２９のメッセ―ジ表示部２９ａに例えば
　「メッセ―ジを消去しました。」
なる文字表示を行なう。以後、ステップＢ０３からの処理を行ない、３０秒タイマ―がタイムアップするまでこのデリ―ト完了表示を続行する。
　【００６６】
　次いで、上記ステップＣ０９に示したようにデリ―トモ―ドからモ―ド選択スイッチ１８を操作し、モ―ドカウンタのカウント値を更新設定して「３」とし、プリントアウトモ―ドに切替えた後の、プリントアウトモ―ド処理を図８を用いて説明する。このとき、外部端子３０には確実にプリンタ３１を接続しておく。
　【００６７】
　図８においては、まずステップＤ０１に示すように部分印刷モ―ド、プロテクト文印刷モ―ド、全文印刷モ―ドと３つの印刷モ―ドの中から部分印刷モ―ド、すなわち、表示されているメッセ―ジデ―タのみを印刷する印刷モ―ドを設定する。これと共にＲＡＭ２４内に備えられる初期状態フラグレジスタにフラグ”１”を設定する。この初期状態フラグレジスタは、上記３つの印刷モ―ド内からの選択動作をプリントアウトモ―ドを設定した当初のみに限定するためのものである。
　その後、ステップＤ０２でＣＰＵ１４内部の８秒カウンタの計時をセットし、スタ―トさせる。次いでステップＤ０３で表示部２９においてプリントアウトモ―ドにモ―ドが移行したことを表示させる。この場合、表示部２９では、図５（Ｄ）に示すようにメッセ―ジ表示部２９ａに「プリントアウトモ―ド」の文字と、「部分」「プロテクト文」「全文」の３つの印刷モ―ドを示す文字それぞれとを表示する。この場合、印刷モ―ドとしては「部分印刷」が初期設定されるので、「部分」の文字のみ反転表示されるものとする。また、これと共に、プリントアウトモ―ド表示体２９ｄを点灯駆動する。さらに、バンクカウンタの内容によりＲＡＭ２４内の管理デ―タメモリ２４ａの対応するバンクに記憶されているメッセ―ジ情報の呼出種別情報を読出し、これをメッセ―ジＮｏ及び呼出し種別表示部２９ｊに、例えば「０１Ｃ」というように表示する。
　【００６８】
　その後、ステップＤ０４で上記８秒タイマ―かタイムアップしたか、ステップＤ０５でリセットスイッチ１７が操作されたか否か、ステップＤ０６でモ―ド選択スイッチ１８が操作されたか否か、ステップＤ０７で印刷モ―ド選択スイッチ２１が操作されたか否か、ステップＤ０８で実行スイッチ１９が操作されたか否か、そして、ステップＤ０９でメモリバンクスイッチ２０が操作されたか否かが連続して判断される。これらのいずれにおいてもＮＯであると判断された場合はステップＤ０４に戻り、以下ステップＤ０４〜Ｄ０９の処理を繰返しながらスイッチの操作入力を待機する。
　【００６９】
　上記ステップＤ０４で８秒タイマ―がタイムアップしたと判断された場合、このプリントアウトモ―ドにおけるスイッチ操作が８秒間行なわれず、同様にこれ以上このプリントアウトモ―ドの表示を続行してもスイッチ操作がなされないものと判断して、次にステップＤ１０に進んでモ―ドカウンタの内容をリセットして「０」にする等のリセット処理を行なう。これに応じて表示を図５（Ｄ）に示すプリントアウトモ―ドの表示状態から矢印ＴＵに示すように図５（Ａ）の通常モ―ドの待機状態に戻り、以上でこの処理を終了する。
　【００７０】
　また、上記ステップＤ０５でリセットスイッチ１７が操作されたと判断した場合も、このリセットスイッチ１７操作に従ってプリントアウトモ―ドを解除すべく、上記と同様に次にステップＤ１０に進んでモ―ドカウンタの内容をリセットして「０」とし、これに応じて表示も図５（Ｄ）に示すプリントアウトモ―ドの表示状態から矢印ＴＵに示すように図５（Ａ）の通常モ―ドの待機状態に戻り、以上でこの処理を終了する。
　【００７１】
　ステップＣ０６においてモ―ド選択スイッチ１８が操作されたと判断した場合は、このスイッチ操作に応じて続くステップＣ１１でモ―ドカウンタのカウント値を「＋１」更新設定し、時刻調整モ―ドへのモ―ド変換を行なって表示を図５（Ｅ）に示す状態にした後この処理を終了する。
　【００７２】
　上記ステップＣ０７で印刷モ―ド選択スイッチ２１が操作されていると判断した場合は、次いでステップＣ１２でＲＡＭ２４の初期状態フラグレジスタにフラグ”１”がセットされているか否かを判断する。
　【００７３】
　セットされていないと判断された場合は、上記ステップＤ０１で同フラグ”１”のセット後に実行スイッチ１９あるいはメモリバンクスイッチ２０が操作されたことになるので、印刷モ―ド選択スイッチ２１操作を無効とし、上記ステップＤ０４からの処理に戻るが、セットされていると判断された場合は、次にステップＤ１３で印刷モ―ドカウンタのカウント値を更新設定し、部分印刷モ―ドからプロテクト文印刷モ―ドへ、プロテクト文印刷モ―ドから全文印刷モ―ドへ、あるいは全文印刷モ―ドから部分印刷モ―ドへ、印刷モ―ドの切替処理を行ない、該当するメッセ―ジ表示部２９ａの文字を反転表示させる。
　【００７４】
　その後ステップＤ１４に進み、この切替えられた印刷モ―ドの表示を所定時間続行すべく３０秒タイマ―をセットしてスタ―トさせ、以後上記ステップＤ０４からの処理に至る。
　【００７５】
　特定のメッセ―ジデ―タを選択して印字させるべく、メモリバンクスイッチ２０を操作すると、これが上記ステップＤ０９で判断され、次にステップＤ１５に至る。ステップＤ１５では、印刷モ―ドカウンタの内容により、現在の印刷モ―ドが部分印刷モ―ドであるか否か判断される。
　【００７６】
　ここで部分印刷モ―ドではないと判断された場合は、上記メモリバンクスイッチ２０の操作は無効となり、再びステップＤ０４からの処理に戻るが、部分印刷モ―ドであると判断されると、次にステップＤ１６に進み、モ―ド選択スイッチ１８の操作に対応してバンクカウンタのカウント値を「＋１」更新設定すると共に、上記初期状態フラグレジスタをリセットする。
　【００７７】
　次いでステップＤ１７において、この更新設定したバンクカウンタのカウント値がＲＡＭ２４に記憶されている着信デ―タの数を越えているか否か判断する。越えていないと判断されると、続くステップＤ１８で３０秒タイマ―をセットし、スタ―トさせると同時に、ステップＤ１９でバンクカウンタのカウント値に従ってＲＡＭ２４から対応するメッセ―ジ情報等の着信デ―タを読出し、表示部２９のメッセ―ジ表示部２９ａ等に表示させる。
　【００７８】
　その後、ステップＤ０４で今度は上記３０秒タイマ―がタイムアップしたと判断されるか、ステップＤ０４〜Ｄ０９で各スイッチが操作されたと判断されるまでこのメッセ―ジ表示を続行する。
　【００７９】
　なお、上記ステップＤ１７で、バンクカウンタのカウント値がＲＡＭ２４に記憶されている着信デ―タの数を越えていると判断された場合は、続いてステップＤ２０に至り、改めてバンクカウンタに初期値「１」をセットした後、ステップＤ１８に進む。
　【００８０】
　そして、実際に印刷の実行を指示される実行スイッチ１９が操作されるとこの操作入力によりステップＤ０８で実行スイッチ１９がオンであると判断され、次にステップＤ２１に進む。ステップＤ２１では、表示部２９のメッセ―ジ表示部２９ａにプリント中であることを示す文字、例えば「プリント中です。」
を表示させる。次いでステップＤ２３でその時点でのバンクカウンタの値を一時退避のためにＣＰＵ１４の内部レジスタにメモした後、ステップＤ２４に進んで印刷処理を実行する。
　【００８１】
　図９はこの印刷処理の詳細を示すサブル―チンである。同図においては、まずステップＥ０１で印刷モ―ドが部分印刷モ―ドであるか否か判断される。部分印刷モ―ドである場合は、次にステップＥ０２に進み、上記図８のステップＤ１９で表示したメッセ―ジデ―タのみをプリンタ３１でプリントアウトさせる。
　【００８２】
　すなわち、プリントアウトデ―タは、メッセ―ジＮｏ（バンクＮｏ）、呼種別情報、未表示フラグの有無、プロテクトフラグの有無、着信日時、メッセ―ジ情報等である。
　【００８３】
　なお、メッセ―ジ情報がエラ―のあるメッセ―ジ情報であった場合には、対応するエラ―情報に基づいて表示の場合と同様にその部分が白黒反転で印字される。以上でこのサブル―チン処理を終了する。
　【００８４】
　また、ステップＥ０１で印刷モ―ドが部分印刷モ―ドではないと判断された場合は、次にステップＥ０３でプロテクト文印刷モ―ドであるか否か判断される。プロテクト文印刷モ―ドである場合は、次にステップＥ０４に進み、ここで新たにバンクカウンタに初期値「１」を設定した後、ステップＥ０５以後の処理を行なう。
　【００８５】
　ステップＥ０５では、バンクカウンタのカウント値に従ってＲＡＭ２４内の管理デ―タメモリ２４ａの対応するバンクにプロテクトフラグ”１”がセットされているか否か判断する。セットされている場合には、このメッセ―ジデ―タがプロテクトメッセ―ジであることになるので、続くステップＥ０６で最初に
　「プロテクトメッセ―ジ」
なる文字を印刷した後、このメッセ―ジデ―タ等を上記ステップＥ０２同様プリンタ３１でプリントアウトすると共に、表示部２９のメッセ―ジＮｏ及び呼出し種別表示部２９ｊに現在印刷中のメッセ―ジデ―タのＮｏ、すなわち、バンクカウンタのカウント値とそのメッセ―ジデ―タの呼出し種別情報とを表示する。
　【００８６】
　上記ステップＥ０５でメッセ―ジデ―タ内の対応するプロテクトフラグ”１”がセットされていない場合には、そのメッセ―ジデ―タはプロテクトメッセ―ジではないこととなるので、ステップＥ０６の処理は行なわない。その後、ステップＥ０８でバンクカウンタのカウント値を「＋１」更新設定した後、ステップＥ０８で、この更新設定したカウント値がＲＡＭ２４に記憶されている着信デ―タの数を越えたか否か判断する。
　【００８７】
　越えていないと判断された場合には、続いて上記ステップＥ０５に戻る。こうしてステップＥ０５〜Ｅ０８の処理を繰返し実行することにより、ＲＡＭ２４に記憶されているメッセ―ジデ―タをそのバンクＮｏの順に検索し、プロテクトフラグがセットしてあるものを順次バンクＮｏの表示と共にプリントアウトしていく。
　【００８８】
　プロテクトフラグがセットしてあるメッセ―ジデ―タのプリントアウトがすべて完了し、バンクカウンタの更新設定が進んでそのカウント値がＲＡＭ２４に記憶している着信デ―タ数を越えると、これがステップＥ０９で判断され、最後にステップＥ０９で退避させていたバンクカウンタのカウント値を再設定した後、以上でこのサブル―チンを終了する。
　【００８９】
　また、上記ステップＥ０３で印刷モ―ドがプロテクト文印刷モ―ドでもないと判断された場合は、印刷モ―ドは全文印刷モ―ドであることになるので、次にステップＥ１０に進み、ここで新たにバンクカウンタに初期値「１」を設定した後、ステップＥ１１以後の処理を行なう。ステップＥ１１では、最初に
　「全メッセ―ジ」
なる文字を印刷した後、バンクカウンタのカウント値に従ってＲＡＭ２４からメッセ―ジデ―タ等を読出し、このメッセ―ジデ―タ等を上記ステップＥ０２同様プリンタ３１でプリントアウトすると共に、表示部２９のメッセ―ジＮｏ及び呼出し種別表示部２９ｊにバンクカウンタのカウント値及び呼出し種別情報を表示する。
　【００９０】
　その後、ステップＥ１２でバンクカウンタのカウント値を「＋１」更新設定した後、ステップＥ１３で、この更新設定したカウント値がＲＡＭ２４に記憶されているメッセ―ジデ―タの数を越えたか否か判断する。
　【００９１】
　越えていないと判断された場合には、続いて上記ステップＥ１１に戻る。こうしてステップＥ１１〜Ｅ１３の処理を繰返し実行することにより、ＲＡＭ２４に記憶されているメッセ―ジデ―タをそのバンクＮｏの順に応じてすべて、バンクＮｏの表示と共にプリントアウトしていく。
　【００９２】
　記憶しているメッセ―ジデ―タのプリントアウトがすべて完了し、バンクカウンタのカウント値がＲＡＭ２４に記憶しているデ―タ数を越えると、これがステップＥ１３で判断され、最後にステップＥ１４で退避させていたバンクカウンタのカウント値を再設定した後、以上でこのサブル―チンを終了する。
　【００９３】
　上記のようにして印刷モ―ドに応じた印刷処理を実行した後、図８のステップＤ２５に示すように３０秒タイマ―をセットし、スタ―トさせる。そして、続くステップＤ２６において、上記ステップＤ２３で記憶したバンクＮｏに対応するメッセ―ジ、すなわち、印刷処理に入った時の初期メッセ―ジの表示を行ない、一連の処理を終了して、上記ステップＤ０４に戻る。
　【００９４】
　なお、上記プリントアウトモ―ドにおいてモ―ド選択スイッチ１８を操作すると、ステップＤ１１に示すようにモ―ドが切替えられてプリントアウトモ―ドから時刻調整モ―ドとなるが、この時刻調整モ―ドでの動作は単に時計部２３で計時する現在の時刻デ―タの調整処理だけであり、本案とは関係ないので、その説明は省略し、表示部２９の表示状態のみを図５（Ｅ）に示す。
　【００９５】
　また、時刻調整モ―ドにおいて、モ―ド選択スイッチ１８を操作すると時刻調整モ―ドから通常モ―ドとなるが、この時の通常モ―ドでは、図５（Ｆ）に示すように、表示部２９のメッセ―ジ表示部２９ａに現在選択されているバンクのメッセ―ジが表示される。この表示状態は図４のステップＡ０７における読出処理時の表示状態と同一のものである。この通常モ―ドにおいてモ―ド選択スイッチ１８を操作すると、図５に示すようにプロテクトモ―ドに切替わる。
　【００９６】
　なお、これらのモ―ド切替えは、ステップＡ０７の読出処理中においても可能であり、この場合のモ―ド切替えは、図５（Ｆ）に示す通常モ―ドからの切換と同様である。
　【００９７】
　【発明の効果】
　以上詳記したように、この発明は、複数の受信情報を記憶することが可能な情報記憶手段を有し、該情報記憶手段に所定量の受信情報が記憶されるまでは、新たな情報を受信する毎に受信した情報を上記情報記憶手段に記憶し、所定量の受信情報が記憶された後は、新たな情報が受信される毎に上記情報記憶手段に記憶されている受信情報のうちの最古の情報を自動消去した上で受信した新たな情報を上記情報記憶手段に記憶する構成の情報受信装置において、上記情報記憶手段に記憶されている受信情報の内の所望の情報を、新たな情報が受信されても自動消去されないように保護する情報保護手段と、上記情報保護手段により保護された情報
を消去すること無しに、当該情報
上記情報記憶手段に記憶されている受信情報の内の所望の情報を消去する情報消去手段と、
【図面の簡単な説明】
　【図１】
　この発明の一実施例に係る回路構成を示すブロック図。
　【図２】
　同実施例に係る表示部の表示パタ―ン構成を示す図。
　【図３】
　同実施例に係るＲＡＭ内の管理デ―タメモリ及びメッセ―ジメモリの構成を示す図。
　【図４】
　同実施例に係る全体の処理内容を示すフロ―チャ―ト。
　【図５】
　同実施例に係る各動作モ―ドでの表示内容を示す図。
　【図６】
　同実施例に係るプロテクトモ―ドでの処理内容を示すフロ―チャ―ト。
　【図７】
　同実施例に係るデリ―トモ―ドでの処理内容を示すフロ―チャ―ト。
　【図８】
　同実施例に係るプリントアウトモ―ドでの処理内容を示すフロ―チャ―ト。
　【図９】
　図８の印刷処理のサブル―チン処理を示すフロ―チャ―ト。
　【符号の説明】
　１１…アンテナ、１２…無線部、１３…デコ―ダ部、１４…ＣＰＵ、１５…スイッチ入力部、１６…メインスイッチ、１７…リセットスイッチ、１８…モ―ド選択スイッチ、１９…実行スイッチ、２０…メモリバンクスイッチ、２１…印刷モ―ド選択スイッチ、２２…音量スイッチ、２３…時計部、２４…ＲＡＭ、２４ａ…管理デ―タメモリ、２４ｂ…メッセ―ジメモリ、２５，２７…アンプ、２６…スピ―カ、２８…ＬＥＤ、２９…表示部、２９ａ…メッセ―ジ表示部、２９ｂ…プロテクトモ―ド表示体、２９ｃ…デリ―トモ―ド表示体、２９ｄ…プリントアウトモ―ド表示体、２９ｅ…時刻調整モ―ド表示体、２９ｆ…未確認（未表示）表示体、２９ｇ…プロテクトメッセ―ジ表示体、２９ｈ…電圧低下表示体、２９ｉ…音量表示体、２９ｊ…メッセ―ジＮｏ及び呼出し種別表示部、３０…外部端子、３１…プリンタ。